(57)【要約】  本発明は、開口を画定する略円筒状の首部が頂部にあるベース（２）と、上面および下面を有するシール（６）を備えた蓋とを備える化粧品用ポットに関する。ポットの首部は、凹面を形成する肩部（２０４）を備える内周を備えたリム（２０３）を有する。蓋がベース（２）上に締め付けられたときに肩部（２０４）の高さの少なくとも一部にわたって前記凹面に一致して、且つポットを封止可能に閉鎖するようにその内周全体の周りで前記リム（２０３）に対して封止可能に押圧する、凸形状を外周壁に有する可撓性環状リップ（６０３）を、シール（６）は、その下面に備える。シール（６）の可撓性と、リム（２０３）の形状を補完するそのリップ（６０３）の形状は、製造時に生じる寸法の不規則性を補償することができるように変形されて緊密な封止を確保することを可能にする。
2020522443.tif 000002
【特許請求の範囲】
【請求項１】
開口（２０２）を画定する略円筒状の首部（２０１）と、上面（６０１）および下面（６０２）を有するシール（６）を備えた蓋（３）とが載置されたベース（２）を備える化粧品ポット（１）であって、
ポット（１）の前記首部（２０１）が、凹面（２０５）を形成する肩部（２０４）を備える内周を有するブリム（２０３）を有し、その下面（６０２）において、蓋（３）がベース（２）上に締め付けられると、少なくとも肩部（２０４）の高さの一部にわたって前記凹面（２０５）に一致し、且つポット（１）の液密閉鎖を確保するようにその内周全体にわたって前記ブリム（２０３）に対して封止可能に押圧する、凸形状を外周壁（６０４）に有する環状の可撓性リップ（６０３）を、前記シール（６）が備える、ことを特徴とする、化粧品ポット（１）。
【請求項２】
ベース（２）が、ガラスまたはセラミックから作製されていることを特徴とする、請求項１に記載のポット（１）。
【請求項３】
開口（２０２）が、２５ミリメートル以上の直径を有することを特徴とする、請求項１または請求項２に記載のポット（１）。
【請求項４】
蓋（３）が、スナップ係合によりベース（２）上に締め付けるシステムを有することを特徴とする、請求項１から３のいずれか一項に記載のポット（１）。
【請求項５】
蓋が、連結プレート（５）とキャップ（４）とを備え、連結プレート（５）が、爪（５０１）と、少なくとも１つのスライド（５０２）と、少なくとも２つの位置、すなわち、ポット（１）が開放しているときの開放位置およびポットが閉鎖しているときの静止位置を有する案内スタッド（５０３）とを備え、連結プレート（５）およびキャップ（４）が互いに対して回転可能に組み立てられることを特徴とする、請求項１から３のいずれか一項に記載のポット（１）。
【請求項６】
蓋（３）が、垂直方向の圧力を加えることによりベース（２）上で閉鎖するように構成されていることを特徴とする、請求項１から５のいずれか一項に記載のポット（１）。
【請求項７】
首部（２０１）が、その外周に、周縁リム（２０７）の下方に画定されたくぼみまたは溝（２０６）を備え、ベース（２）に対する蓋（３）の開閉が案内されることを可能にする２つの案内傾斜部（２０８）が設けられていることを特徴とする、請求項１から６のいずれか一項に記載のポット（１）。
【請求項８】
シール（６）が、蓋（３）の下面（３０１）に取り付けられた上面（６０１）を備えるディスクの一般的な形状を有することを特徴とする、請求項１から７のいずれか一項に記載のポット（１）。
【請求項９】
シール（６）が、その下面（６０２）に可撓性環状リップ（６０３）を備えるディスクの一般的な形状を有することを特徴とする、請求項１から８のいずれか一項に記載のポット（１）。
【請求項１０】
リップ（６０３）が、前記肩部（２０４）の高さの少なくとも一部にわたってブリム（２０３）の凹状肩部（２０４）に合わせてリップ（６０３）自体を形作るように構成されていることを特徴とする、請求項１から９のいずれか一項に記載のポット（１）。
【請求項１１】
シール（６）が、弾性材料から作製されていることを特徴とする、請求項１から１０のいずれか一項に記載のポット（１）。
【請求項１２】
シール（６）が、ポリプロピレン、ポリエチレン、エラストマーまたはスチレン−エチレン−ブチレン−スチレン（ＳＥＢＳ）から作製されていることを特徴とする、請求項１１に記載のポット（１）。
【請求項１３】
その外周壁（６０４）によって断面で形成される弧の長さに対応するリップ（６０３）の１つの寸法（ｌ）が、ブリム（２０３）上の肩部（２０４）の凹面の展開長さと略同じであることを特徴とする、請求項１から１２のいずれか一項に記載のポット（１）。
【請求項１４】
化粧品を収容するように構成されたタブをベース（２）の内部に備えることを特徴とする、請求項１から１３のいずれか一項に記載のポット（１）。
【発明の詳細な説明】
【技術分野】
【０００１】
本発明は、ポットの分野、特に化粧品用ポットの分野に関する。化粧品とは、特に、皮膚用の全てのメイクアップ製品および身体への塗布のために提供される全ての組成物を意味する。
【背景技術】
【０００２】
化粧品ポットは、一般に、化粧品を収容するように構成されたベースを備え、ベースの断面の直径に近い開口の直径を有する首部がその上に載置されている。ベースは、例えば首部に螺合された蓋によって閉鎖される。クロージャを封止するために、通常、蓋とベースの間にシールが挿入される。
【０００３】
十分なレベルの封止を得るための様々な構成が最新技術において知られている。第１の公知の構成によれば、シールが蓋の下面に一致することを可能にするために、蓋の下面およびシールの上面に締結部材が存在することができる。これらの固定部材は、例えば、互いに螺合されるようになる突起とすることができる。そして、ベースに蓋を螺合するかまたは締めるときに、シールが首部に対して圧縮される。この種の解決策は、特に仏国特許発明第２７７６６２５号明細書において提案されている。
【０００４】
他の公知の構成は、開口およびその上に蓋がヒンジ留めされたベースの首部を取り囲む環状クラウンを備えたポットから構成されている。そして、シールリップを備えるシールがクラウンと蓋との間に配置されることができる。この種の解決策は、特に仏国特許出願公開第２７０１３６６号明細書において提案されている。
【０００５】
前述の解決策を実装する化粧品ポットは、ほとんどの場合プラスチック材料から作製される。例えば審美的、環境的、または機能的な考慮事項は、例えばガラスなどの他の材料が使用されることをもたらすことがある。しかしながら、ガラスおよび磁器（または他のセラミック）などの特定の材料は、製造中に、試料ごとに大きな寸法のばらつきを受ける。したがって、ガラスまたはセラミックポットの製造では、首部の直径または高さに関する著しいばらつきが生じることがある。より具体的には、寸法のばらつきは、プラスチックのポットよりもガラスポットの方が最大３倍大きくなることがある。
【０００６】
したがって、従来技術において知られているシールを備えた閉鎖システムは、行うのが容易な閉鎖または開放、ならびに製造からの寸法ばらつきを生じさせるガラスまたは他の材料のポットの満足のいく封止を提供することができない。さらにまた、この寸法ばらつきを考慮すると、ガラスポットのベースに対してシールを成形するために最初に使用するときに（一般に蓋とポットのベースとの間に配置される）シールに加える力は、プラスチックポットの場合よりも大きい。さらに、この力は、締め付けシステムまたは螺合システムに対してより高い機械的ストレスをもたらし、時間の経過とともにより大きなポットの摩耗をもたらす。最後に、システムの劣化が進んでシールが緩むと、ユーザは、増加する締め付けトルクを加える必要がある。
【０００７】
したがって、ポットの製造からの寸法ばらつきに関連する前述の課題を解決することを可能にする解決策が望ましい。
【先行技術文献】
【特許文献】
【０００８】
【特許文献１】仏国特許発明第２７７６６２５号明細書
【特許文献２】仏国特許出願公開第２７０１３６６号明細書
【発明の概要】
【発明が解決しようとする課題】
【０００９】
したがって、本発明は、ポットの製造時の寸法ばらつきにかかわらず確実に得られる十分なレベルの封止を確保しながら、容易な開閉を可能にする化粧品用ポットを提供することを目的とする。
【課題を解決するための手段】
【００１０】
したがって、本発明は、開口を画定する略円筒状の首部と、上面および下面を有するシールを備えた蓋とが載置されたベースを備える化粧品ポットに関する。前記ポットの首部は、凹面を形成する肩部を備える内周を有するブリムを有する。その下面において、前記シールは、外周壁に凸形状を有する環状の可撓性リップを備え、リップは、蓋がベース上に締め付けられると、肩部の高さの少なくとも一部にわたって前記凹面に一致し、ポットの液密閉鎖を確保するために、その内周全体にわたって前記ブリムに対して封止可能に押圧する。
【００１１】
このように開発された化粧品ポットは、良好な封止を確保するとともに、ポットのベースにある蓋の開閉を非常に容易にすることを可能にする。したがって、シールの可撓性ならびにブリムの形状を補完するそのリップの形状は、製造からの寸法ばらつきを補償することができるようにリップが変形することを可能にする。それらはまた、低い締め付けトルクを有することができるため、時間の経過とともにポットが劣化するリスクを低減する。
【００１２】
いくつかの実施形態によれば、ポットのベースは、ガラスまたはセラミックから作製されることができる。
【００１３】
開口は、２５ミリメートル以上の直径を有することができる。
【００１４】
蓋は、スナップ係合によりベース上に締め付けるためのシステムを有することができる。
【００１５】
蓋は、連結プレートおよびキャップを備え、連結プレートは、爪、少なくとも１つのスライド、および少なくとも２つの位置、すなわち、ポットが開放しているときの開放位置およびポットが閉鎖しているときの静止位置を有する案内スタッドを備え、連結プレートおよびキャップは、互いに対して回転可能に組み立てられる。
【００１６】
蓋は、垂直方向の圧力を加えることによりベース上で閉鎖するように構成されたタイプのものとすることができる。
【００１７】
首部は、その外周に、周縁リムの下方に画定されたくぼみまたは溝を備えることができ、そこに、ベース上の蓋の開閉が案内されることを可能にする２つの案内傾斜部が設けられている。
【００１８】
シールは、蓋の下面に取り付けられた上面を備えるディスクの一般的な形状を有することができる。
【００１９】
シールは、特に、その下面に可撓性環状リップを備えるディスクの一般的な形状を有することができる。
【００２０】
リップは、前記肩部の高さの少なくとも一部にわたってブリムの凹状肩部に合わせてリップ自体を形作るように構成されることができる。
【００２１】
シールは、弾性材料から作製されることができる。この場合、シールは、ポリプロピレン、ポリエチレン、エラストマー、またはスチレン−エチレン−ブチレン−スチレン（ＳＥＢＳ）から作製されることができる。
【００２２】
そのようなポットでは、断面においてリップの外周壁によって形成される弧の長さに対応するリップの１つの寸法は、ブリムの肩部の凹面の展開長さと略同じである。
【００２３】
ポットは、化粧品を受け入れるように構成されたベースの内部にタブを備えることができる。
【００２４】
本発明のさらに他の特徴および利点は、以下の説明に現れる。
【００２５】
非限定的な例として与えられた添付図面では、以下のとおりである：
【図面の簡単な説明】
【００２６】
【図１】本発明の実施形態による化粧品ポットの例示的な実施形態を示している。
【図２】肩部を備える内周を有するブリムを備える円筒状の首部を備える図１のポットのベースを示している。
【図３】図１のポットの分解図を示している。
【図４】その上にシールが付いている図１のポットのベースの断面を示している。
【図５ａ】本発明において使用されることができるシールを示している。
【図５ｂ】図５ａのシールの断面図を示している。
【図６】図１のポットのブリムの部分図を示している。
【図７】静止位置におけるリップの拡大断面と、蓋をベース上に締め付けたときにブリムに対して押圧されたときの拡大断面とを示している。
【発明を実施するための形態】
【００２７】
図１は、ベース２および蓋３を備える正方形の輪郭を有する化粧品ポット１の例示的な実施形態を示している。「正方形の輪郭」とは、底が正方形の略平行六面体の形状を有するベースを有するポットを意味し、これは、膨らんだ輪郭を有するポットまたはその一般的な形状に対する任意の他の僅かな変更を排除しない。さらにまた、本説明は、正方形の輪郭を有するポット１について行われるが、そのベースの外側の一般的な形状が何であれ、あらゆるポットについて必要な変更を加えて有効である。
【００２８】
ベース２は、任意の適切な材料から形成されることができるが、本発明は、ガラス、磁器、または上記で説明したような寸法ばらつきの問題が存在する可能性がある特定のセラミックなどの同様の材料のベース２を備える化粧品ポットに特に有利である。
【００２９】
図２に見られるように、ベース２は、容器２００と、容器２００の上に載置された首部２０１とを備える。
【００３０】
円筒状の首部２０１は、容器２００に含まれる製品へのアクセスを可能にする開口２０２を画定する。ここに表されている例では、首部２０１および開口２０２の寸法は、ベース２の断面寸法に近い。ポット１の開口２０２は、手の少なくとも１本の指の通過を可能にするのに十分に広い、すなわち、例えば、２５ミリメートル以上の直径を有する。
【００３１】
首部２０１は、その外周にくぼみまたは溝２０６、およびその下方にくぼみまたは溝２０６が画定される周縁リム２０７を有する。これらの後者は、首部２０１の周りに全て延びている。
【００３２】
首部２０１はまた、その内周に、凹面が形成されることを可能にする肩部２０４が形成されたブリム２０３を備える。ブリム２０３とは、くぼみまたは溝２０６の上に位置する首部２０１の部分を意味する。ポット１のブリム２０３の部分図が図６に示される。
【００３３】
図２に示される実施形態によれば、互いに正反対の２つの案内傾斜部２０８は、くぼみまたは溝２０６に突起を形成する。それらは、その端部に非傾斜部がある傾斜部を備える。これらの案内傾斜部２０８は、蓋３がポット１に螺合される際の案内部として機能する。
【００３４】
ポット１の開閉は、蓋３により行われる。ポット１を開放すると、ユーザは、蓋３を例えば反時計回りに回転させる。傾斜部により、案内傾斜部２０８は、ポット１の容易な開放を可能にする。ポット１を閉鎖すると、ユーザは、蓋３を例えば時計回りに回転させる。そして、案内傾斜部２０８の非傾斜部が螺合動作をブロックし、ポット１の閉鎖位置に到達したことをユーザに示す。したがって、ポット１の開閉は、完全な螺合ではなく、蓋３を僅かに回転させるだけで実行される。蓋３の螺合または螺合解除の角度は、案内傾斜部２０８の寸法によって規定されることができる。案内傾斜部２０８は、蓋３と協働して、ポット１が開放位置または閉鎖位置にあることをユーザに示すことを可能にする。
【００３５】
図３に示されるように、蓋３は、閉鎖システム３０２とキャップ４と呼ばれる外側部分とを備える下面３０１を備える。この閉鎖システム３０２は、首部２０１の螺合システムまたは締め付けシステムとすることができる。この締め付けは、スナップ係合、結合部材または他の同等のシステムによって達成されることができる。
【００３６】
図３は、本発明によるポットに使用されることができる結合部材によって製造された閉鎖システム３０２を有する蓋３を備える図１のポット１の分解図を示している。蓋３は、キャップ４に対して回転可能に取り付けられた連結プレート５と呼ばれる内側部分を備える。
【００３７】
一般に、この種のクロージャシステムでは、連結プレート５は、以下の少なくとも２つの位置を有する爪５０１を備える：蓋３の開放位置と呼ばれる第１の開放位置およびポットが蓋３によって閉鎖されたときの静止位置と呼ばれる第２の位置。蓋３が静止位置にあり且つポット１が閉鎖されているとき、爪５０１は、ベース２の首部２０１のくぼみまたは溝２０６に係合される。蓋３が開放位置にあるとき、爪５０１は、第１の位置に対して首部２０１から離れており、くぼみまたは溝２０６から外れている。
【００３８】
図３に示される実施形態によれば、蓋３はまた、３つのスライド５０２と、前記第１の位置と前記第２の位置との間においてスライド５０２に対してスライドするように構成された３つの案内スタッド５０３とを備える。連結プレート５は、案内スタッド５０３がスライド５０２に対して第１の位置にあるときに前記第１の位置をとり、連結プレート５は、案内スタッド５０３がスライド５０２に対して第２の位置にあるときに第２の位置をとる。
【００３９】
したがって、キャップ４および連結プレート５は、協働して、ポット１の容易な開放および確実な閉鎖を可能にする。図３に示されている蓋３は、仏国特許第３０３２３３５号明細書に詳細に記載されている。
【００４０】
ポット１の封止を確実にするために、シール６がベース２と蓋３との間に挿入されている。
【００４１】
図４は、リップ６０３とブリム２０３との間の相互作用を示している。この相互作用は、以下でより詳細に説明される。
【００４２】
図５ａおよび図５ｂに示されるように、シール６は、蓋３に向けられた上面６０１と、容器２００に向けられた下面６０２とを有するディスクである。
【００４３】
上面６０１は、蓋３の下面３０１に取り付けられている。上面６０１は、例えば、蓋３の下面３０１に接合されることができる。しかしながら、シール６は、任意の他の適切な公知の手段によって蓋３に取り付けられてもよい。
【００４４】
下面６０２に関して、これは、図５ｂに示されるように、可撓性リップ６０３を備える。リップ６０３は、その外周壁６０４に凸形状を有する。後者は、ポット１の液密封止を可能にする。
【００４５】
より詳細には、蓋３がベース２上に締め付けられると、リップ６０３の凸形状は、その高さの少なくとも一部にわたって肩部２０４の凹面２０５に一致するようになり、その内周の全体にわたってブリム２０３に対して封止可能に押圧する。
【００４６】
蓋３のベース２上への締め付けは、例えば、首部２０１に押圧関係で保持することにより、またはベース２に蓋３を垂直方向に押圧する押圧力を加えることにより行われる。
【００４７】
蓋３をベース２上に締め付けると、リップ６０３は、静止状態から押圧状態に移行するためにスライドし、それにより、凸形状を有する外壁６０４がブリム２０３を押圧することを可能にする。
【００４８】
図７は、静止状態（破線で示される）におけるリップ６０３の拡大断面と、蓋３をベース２上に閉鎖したときにブリム２０３に対して押圧されたとき（実線で示される）の拡大断面とを示している。
【００４９】
蓋３が静止位置にあるとき、シール６は圧縮され、リップ６０３はブリム２０３に対して押圧される。図７は、ポット１を閉鎖する際のリップ６０３とブリム２０３との間の形状の嵌合を示している。蓋３が開放位置にあるとき、リップ６０３は、弛緩している。弾性復帰により、リップ６０３は、破線で表される構成を採用する。
【００５０】
図７が示すように、ブリム２０３は、高さｈを有し、リップ６０３は、その外周壁６０４によって断面で形成された弧の長さに対応する寸法ｌを有する。蓋３をベース２上に締め付けると、リップ６０３とブリム２０３との間の接触は、高さｈの少なくとも一部にわたって得られる。この接触は、弾性により、図７の破線で示された静止位置を再開するリップ６０３の傾向と関連して、ベース２上への蓋３の締め付け力によって得られる。
【００５１】
好ましくは、リップ６０３の寸法ｌは、ブリム２０３上の肩部２０４の凹面の展開長さと略同じである。これは、ポット１の封止を最適化することを可能にする。
【００５２】
シール６は、任意の適切な弾性材料、ポリプロピレン、ポリエチレンから作製されることができるが、エラストマー、特にスチレン−エチレン−ブチレン−スチレン（ＳＥＢＳ、熱可塑性エラストマー）、または同等の物理的性質を有する任意の他の材料から作製されてもよい。シール６のリップ６０３の弾性は、ポット１の製造における試料ごとの寸法のばらつきを補償するためにシールが変形することを可能にする。それはまた、機械的ストレスが加えられていない場合、静止状態（図７において破線で示される）を回復することを可能にする。
【００５３】
さらに、例えば航空機において、閉鎖したポット１の内部に対して周囲環境の圧力が低下した場合、圧力の低下は、シール６のリップ６０３をブリム２０３の肩部２０４に対して押圧してさらに封止を保証する力を生じさせる。
【００５４】
したがって、シール６は、あらゆる状況において良好な封止を保証する。
【００５５】
化粧品ポットはまた、劣化を受けることがある。より具体的には、化粧品ポットは、一般に、（開閉のために）頻繁な操作を受ける。したがって、ポット１がこれらの操作に対してさらに劣化しないこと、およびその閉鎖または開放が容易であり、時間の経過とともに維持されることが望ましい。
【００５６】
これは、ポット１の閉鎖がベース２に対して回転することなく垂直方向の押圧を加えることにより行われることが好ましい理由である。さらにまた、シール６およびリップ６０３の形状および材料は、ポット１を閉鎖するために加えるのに必要な力を低減することを可能にする。実際に、シール６をポット、特にそのブリムの肩部に形作るために大きな力を加える必要はない。加えられる小さな力は、ポット１、特に蓋３およびその閉鎖システム３０２、ならびにシール６の劣化を回避する。
【００５７】
したがって、シール６は、ポットの閉鎖に必要な力を低いレベルに保ちながら、寸法公差（例えば、軸方向またはガラスの厚さに関して）を広く補うことを可能にする。
【００５８】
シール６は、上述したように、連結プレート５を備える閉鎖システム３０２とともに使用される場合、追加の利点を有することができる。
【００５９】
したがって、前述のように、文献仏国特許第３０３２３３５号明細書の蓋３をシール６およびベース２と組み合わせて使用する場合、連結プレート５と首部２０１との間の相対的な回転はほとんどまたは全くない。シール６は、せん断力で作用されないかまたはほとんど作用されず、封止を改善する高い摩擦係数を有する比較的接着性の材料を選択することが可能である。
【００６０】
当然のことながら、本発明は、上述した詳細な実施形態に限定されるものではない。本発明の範囲から逸脱することなく、多数の変形が想定されることができる。
【００６１】
例えば、化粧ポットの場合によくあるように、ベース２は、円筒状を有してもよい。
【００６２】
化粧品は、前述の実施形態において提示されたようにベース２に直接収容される代わりに、ベース２の内部に配置された再充填可能なタブに収容されてもよい。
【００６３】
ポット１の開口２０２はまた、上述した実施形態においてディスクであるとして提示されたシール６の形状の対応的な変更をもたらす他の形状を有してもよい。
【００６４】
シール６は、例えば、環状の一般的な形状を有してもよく、またはより一般には開口面を有してもよい。
【図１】
2020522443.tif 000003
【図２】
2020522443.tif 000004
【図３】
2020522443.tif 000005
【図４】
2020522443.tif 000006
【図５ａ】
2020522443.tif 000007
【図５ｂ】
2020522443.tif 000008
【図６】
2020522443.tif 000009
【図７】
2020522443.tif 000010
【国際調査報告】
2020522443.tif 000011
2020522443.tif 000012
2020522443.tif 000013
2020522443.tif 000014